【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
符号化ビデオデータを復号するためのデバイスであって、
前記符号化ビデオデータを記憶するように構成された記憶媒体と、
前記記憶媒体と通信している処理回路構成とを備え、前記処理回路構成が、
前記記憶媒体に記憶された前記符号化ビデオデータに対するブロックレベルしきい値を決定することであって、前記ブロックレベルしきい値が、ブロックエリアサイズ、またはブロック幅および/もしくはブロックの高さを含むブロックのサイズ寸法として表現される、決定することと、
前記記憶媒体に記憶された前記符号化ビデオデータの符号化ブロックが、前記ブロックレベルしきい値に等しいかまたはそれよりも大きいサイズ寸法を有すると決定ことと、
前記符号化ブロックが4分木ベース区分方式または4分木+2分木ベース区分方式のうちの一方に従って複数のサブブロックに区分されていると決定することであって、前記サブブロックが、前記ブロックレベルしきい値よりも小さいサイズ寸法を有する、決定することと、
コーディングツールが前記符号化ブロックの再構築に対して有効化されることを示す、シンタックス要素を受信することであって、前記コーディングツールが、特定のブロックレベルにおいてオンまたはオフに切り替え可能な特定のコーディング方法、技法、またはモードである、受信することと、
前記符号化ブロックが前記ブロックレベルしきい値に等しいかまたはそれよりも大きいサイズ寸法を有することに基づいて、前記符号化ブロックのすべてのサブブロックの中に含まれるすべてのサンプルに前記シンタックス要素が適用されると決定することと、
前記符号化ブロックのすべてのサブブロックの中に含まれるすべてのサンプルを、前記コーディングツールを使用して再構成することと
を行うように構成される、デバイス。
【請求項２】
前記ブロックレベルしきい値が最小エリアを表す、請求項1に記載のデバイス。
【請求項３】
前記受信されたシンタックス要素が拡張多重変換(EMT)フラグを備え、前記処理回路構成が、
前記EMTフラグが有効状態に設定されていると決定することと、
前記EMTフラグが前記有効状態に設定されていることに基づいて、前記符号化ブロックの前記複数のサブブロックのうちのそれぞれのサブブロックごとにそれぞれのEMTインデックスを復号することと
を行うようにさらに構成され、
前記符号化ブロックの前記複数のサブブロックのうちのすべてのサブブロックの中に含まれる前記複数のサンプルのうちのすべてのサンプルを再構成するために、前記処理回路構成が、前記符号化ブロックの前記複数のサブブロックのうちのすべてのサブブロックの中に含まれる前記複数のサンプルのうちのすべてのサンプルを、EMTコーディングツールを使用して再構成するように構成される、
請求項1に記載のデバイス。
【請求項４】
前記ブロックレベルしきい値が、最大サブブロックエリアを表し、前記コーディングツールが、イントラ予測またはインター予測のうちの少なくとも一方を備え、前記処理回路構成が、
前記複数のサブブロックのうちの第1のサブブロックが前記最大サブブロックエリアよりも小さいことに基づいて、前記第1のサブブロックがイントラ予測またはインター予測のうちの一方のみを使用して再構成されるべきであると決定するようにさらに構成される、
請求項1に記載のデバイス。
【請求項５】
前記処理回路構成が、前記シンタックス要素がそれに対して受信される前記コーディングツールを含む複数のコーディングツールのうちの各コーディングツールに、前記ブロックレベルしきい値を適用するようにさらに構成される、請求項1に記載のデバイス。
【請求項６】
前記複数のコーディングツールが、拡張多重変換(EMT)コーディングツール、位置依存型予測合成(PDPC)コーディングツール、非分離可能2次変換(NSST)コーディングツール、イントラ予測ツール、またはインター予測ツールのうちの2つ以上を含む、請求項5に記載のデバイス。
【請求項７】
前記ブロックレベルしきい値が、複数のブロックレベルしきい値の中に含まれ、前記処理回路構成が、前記シンタックス要素がそれに対して受信される前記コーディングツールを含む複数のコーディングツールのうちの各コーディングツールに、前記複数のブロックレベルしきい値のうちのそれぞれのブロックレベルしきい値を適用するようにさらに構成される、請求項1に記載のデバイス。
【請求項８】
前記ブロックレベルしきい値を決定するために、前記処理回路構成が、符号化ビデオビットストリームのピクチャパラメータセット(PPS)、シーケンスパラメータセット(SPS)、またはビデオパラメータセット(VPS)のうちの1つの中で前記ブロックレベルしきい値を示すデータを受信するように構成される、請求項1に記載のデバイス。
【請求項９】
ビデオデータを符号化するためのデバイスであって、
前記ビデオデータを記憶するように構成された記憶媒体と、
前記記憶媒体と通信している処理回路構成とを備え、前記処理回路構成が、
前記記憶媒体に記憶された前記ビデオデータに対するブロックレベルしきい値を決定することであって、前記ブロックレベルしきい値が、ブロックエリアサイズ、またはブロック幅および/もしくはブロックの高さを含むブロックのサイズ寸法として表現される、決定することと、
前記記憶媒体に記憶された前記ビデオデータのブロックが、前記ブロックレベルしきい値に等しいかまたはそれよりも大きいサイズ寸法を有すると決定することと、
4分木ベース区分方式または4分木+2分木ベース区分方式のうちの一方に従って符号化ブロックを複数のサブブロックに区分することであって、前記サブブロックが、前記ブロックレベルしきい値よりも小さいサイズ寸法を有する、区分することと、
符号化ブロックを形成するために、前記ブロックが前記ブロックレベルしきい値に等しいかまたはそれよりも大きいサイズを有することに基づいて、前記ブロックから区分されたすべてのサブブロックの中に含まれるすべてのサンプルを、コーディングツールを使用して符号化することと、
前記符号化ブロックが前記ブロックレベルしきい値に等しいかまたはそれよりも大きいサイズ寸法を有することに基づいて、前記コーディングツールが前記符号化ブロックの再構築に対して有効化されることを示す、シンタックス要素を符号化することと
を行うように構成される、
デバイス。
【請求項１０】
前記ブロックレベルしきい値が最小サブブロックエリアを表す、請求項9に記載のデバイス。
【請求項１１】
前記符号化されたシンタックス要素が拡張多重変換(EMT)フラグを備え、前記処理回路構成が、
前記EMTフラグを有効状態に設定し、
前記符号化ブロックの前記複数のサブブロックのうちのそれぞれのサブブロックごとにそれぞれのEMTインデックスを符号化するようにさらに構成される、
請求項9に記載のデバイス。
【請求項１２】
前記ブロックレベルしきい値が、最大サブブロックエリアを表し、前記コーディングツールが、イントラコーディングまたはインターコーディングのうちの少なくとも一方を備え、前記処理回路構成が、
1つまたは複数の前記サブブロックのうちの第1のサブブロックが前記最大サブブロックエリアよりも小さいことに基づいて、イントラコーディングまたはインターコーディングのうちの一方のみを使用して前記第1のサブブロックを符号化するようにさらに構成される、
請求項9に記載のデバイス。
【請求項１３】
前記処理回路構成が、前記シンタックス要素がそれに対して符号化される前記コーディングツールを含む複数のコーディングツールのうちの各コーディングツールに、前記ブロックレベルしきい値を適用するようにさらに構成される、請求項9に記載のデバイス。
【請求項１４】
前記複数のコーディングツールが、拡張多重変換(EMT)コーディングツール、位置依存型予測合成(PDPC)コーディングツール、非分離可能2次変換(NSST)コーディングツール、イントラ予測ツール、またはインター予測ツールのうちの2つ以上を含む、請求項13に記載のデバイス。
【請求項１５】
符号化ビデオデータを復号する方法であって、
前記符号化ビデオデータに対するブロックレベルしきい値を決定するステップであって、前記ブロックレベルしきい値が、ブロックエリアサイズ、またはブロック幅および/もしくはブロックの高さを含むブロックのサイズ寸法として表現される、ステップと、
前記符号化ビデオデータの符号化ブロックが、前記ブロックレベルしきい値に等しいかまたはそれよりも大きいサイズ寸法を有すると決定するステップと、
前記符号化ブロックが4分木ベース区分方式または4分木+2分木ベース区分方式のうちの一方に従って複数のサブブロックに区分されていると決定するステップであって、前記サブブロックが、前記ブロックレベルしきい値よりも小さいサイズ寸法を有する、ステップと、
コーディングツールが前記符号化ブロックの再構築に対して有効化されることを示す、シンタックス要素を受信するステップであって、前記コーディングツールが、特定のブロックレベルにおいてオンまたはオフに切り替え可能な特定のコーディング方法、技法、またはモードである、ステップと、
前記符号化ブロックが前記ブロックレベルしきい値に等しいかまたはそれよりも大きいサイズ寸法を有することに基づいて、前記符号化ブロックのすべてのサブブロックの中に含まれるすべてのサンプルに前記シンタックス要素が適用されると決定するステップと、
前記符号化ブロックのすべてのサブブロックの中に含まれるすべてのサンプルを、前記コーディングツールを使用して再構成するステップと
を備える方法。